(57)【要約】【課題】鍵操作を行うだけで皿装置を備えた前面パネルを開放できるとともに連通部を閉じるようにシャッタを作動させることができる遊技機を提供することを目的とする。【解決手段】遊技機本体（内枠６）に対して開閉可能な前面パネル４に設けられた皿装置と、遊技機本体に設けられた蓄球タンク１０と、皿装置２と蓄球タンク１０との連通部１６と、遊技機本体に設けられて連通部１６を開閉するシャッタ１７と、遊技機本体に設けられた鍵機構と、遊技機本体に対して前面パネルが閉じられた状態から鍵機構を操作して前面パネルを開放可能な状態としたとき鍵機構に連動して連通部１６を閉じる状態にシャッタ１７を作動させるシャッタ閉じ作動機構（シャッタ作動機構３０）とを備えた。【選択図】        図６
2004208761.tif 000002
【特許請求の範囲】
【請求項１】
遊技機本体に対して開閉可能な前面パネルに設けられた皿装置と、遊技機本体に設けられた蓄球タンクと、皿装置と蓄球タンクとの連通部と、遊技機本体に設けられて連通部を開閉するシャッタと、遊技機本体に設けられた鍵機構と、遊技機本体に対して前面パネルが閉じられた状態から鍵機構を操作して前面パネルを開放可能な状態としたとき鍵機構に連動して連通部を閉じる状態にシャッタを作動させるシャッタ閉じ作動機構とを備えたことを特徴とする遊技機。
【請求項２】
前面パネルの裏側に解除部材を設け、前面パネルを開放状態から閉じたときに解除部材により連通部を開く状態にシャッタを作動させるシャッタ開き作動機構を備えたことを特徴とする請求項１に記載の遊技機。
【請求項３】
遊技機本体に対して開閉可能な前面パネルに設けられた皿装置と、遊技機本体に設けられた蓄球タンクと、皿装置と蓄球タンクとの連通部と、遊技機本体に設けられて連通部を開閉するシャッタと、遊技機本体に設けられた鍵装置と、前面パネルと係合して前面パネルを開放不能とするとともに鍵装置が解除操作されることにより前面パネルとの係合を解除して前面パネルを開放可能とする鍵操作係合解除部材と、連通部を閉じる状態にシャッタを移動させるシャッタ操作部材と、連通部を閉じたシャッタに係合してシャッタの位置を維持するシャッタ係合部材と、鍵操作係合解除部材に設けられてシャッタ操作部材を作動させる作動部材とを備え、鍵操作係合解除部材が前面パネルを開放可能とする状態に操作されたときに作動部材がシャッタ操作部材を作動させてシャッタが連通部を閉じることを特徴とする遊技機。
【請求項４】
前面パネルの裏側に解除部材を設け、前面パネルを開放状態から閉じたときに解除部材がシャッタ係合部材のシャッタとの係合状態を解除することを特徴とする請求項３に記載の遊技機。
【発明の詳細な説明】
【０００１】
【発明の属する技術分野】
本発明は遊技球を用いるパチンコ機やスロットマシン等の遊技機に関し、特に前面パネルに設けられた皿装置と遊技機本体に設けられた蓄球タンクとの間の連通部を開閉するシャッタを備えたものに関する。
【０００２】
【従来の技術】
ヒンジによってドア状に片開き開閉可能となった下側前面パネルに皿装置を設けるとともに皿装置の奥に蓄球タンクを設け、皿装置と奥の蓄球タンクとは仕切壁によって前後に仕切り、仕切壁に形成した連通部を通して遊技球が皿装置に排出されるように構成されたパチンコ機が知られている（例えば、特許文献１参照）。
特許文献１のパチンコ機においては、遊技盤の交換や調整等において下側前面パネルを開くと、皿装置とその奥に設けられた蓄球タンクとが下側前面パネルに付いて移動する構成となっているために、遊技球が皿装置と蓄球タンクとに満載された場合には下側前面パネルの重量が大きくなりすぎて、下側前面パネルのヒンジ部に大きな負担がかかり、ヒンジ部が破損するおそれがあるといった問題があった。
そこで、本出願人は上記問題を解決するために、皿装置と蓄球タンクとを分離して、蓄球タンクをパチンコ機本体側に、皿装置を下側前面パネル側に設けて下側前面パネル側での重量負荷を軽減した発明を出願した（特願２００１−３２１７４６）。この発明では、皿装置と蓄球タンクとを分離したため、下側前面パネル開放時に皿装置と蓄球タンクとの連通部から遊技球がこぼれ落ちないように蓄球タンク側の連通口にシャッタを設けている。
【０００３】
【特許文献１】
特開２００１−２９３１２８号公報
【０００４】
【発明が解決しようとする課題】
しかしながら、特願２００１−３２１７４６では、皿装置が設けられた下側前面パネルと遊技盤の遊技領域と対向するガラス等の透過性パネルが設けられた上側前面パネルとが分離されているために、まず鍵装置を鍵プレートで操作して上側前面パネルを開いた後に、下側前面パネル開錠用の押しボタンを押さなければ下側前面パネルは開かないし、また、シャッタも連通部を閉じる状態に作動しない。即ち、下側前面パネルを開く場合において連通部を閉じるようにシャッタを作動させるためには、鍵装置に鍵プレートを差し入れて上側前面パネルを開く操作と下側前面パネル開錠用の押しボタン（特願２００１−３２１７４６の明細書の段落０１０２等に記載されたボタン１１４）を押す操作の２つの操作を行わなければならず、煩雑であった。
本発明は鍵操作を行うだけで皿装置を備えた前面パネルを開放できるとともに連通部を閉じるようにシャッタを作動させることができる遊技機を提供することを目的とする。
【０００５】
【課題を解決するための手段】
本発明の遊技機は、遊技機本体に対して開閉可能な前面パネルに設けられた皿装置と、遊技機本体に設けられた蓄球タンクと、皿装置と蓄球タンクとの連通部と、遊技機本体に設けられて連通部を開閉するシャッタと、遊技機本体に設けられた鍵機構と、遊技機本体に対して前面パネルが閉じられた状態から鍵機構を操作して前面パネルを開放可能な状態としたとき鍵機構に連動して連通部を閉じる状態にシャッタを作動させるシャッタ閉じ作動機構とを備えたので、鍵操作を行うだけで皿装置を備えた前面パネルを開放できるとともに連通部を閉じるようにシャッタを作動させることができる。
また、前面パネルの裏側に解除部材を設け、前面パネルを開放状態から閉じたときに解除部材により連通部を開く状態にシャッタを作動させるシャッタ開き作動機構を備えたので、前面パネルを閉じるだけで連通部を開くようにシャッタを作動させることができるようになる。
また、遊技機本体に対して開閉可能な前面パネルに設けられた皿装置と、遊技機本体に設けられた蓄球タンクと、皿装置と蓄球タンクとの連通部と、遊技機本体に設けられて連通部を開閉するシャッタと、遊技機本体に設けられた鍵装置と、前面パネルと係合して前面パネルを開放不能とするとともに鍵装置が解除操作されることにより前面パネルとの係合を解除して前面パネルを開放可能とする鍵操作係合解除部材と、連通部を閉じる状態にシャッタを移動させるシャッタ操作部材と、連通部を閉じたシャッタに係合してシャッタの位置を維持するシャッタ係合部材と、鍵操作係合解除部材に設けられてシャッタ操作部材を作動させる作動部材とを備え、鍵操作係合解除部材が前面パネルを開放可能とする状態に操作されたときに作動部材がシャッタ操作部材を作動させてシャッタが連通部を閉じるので、鍵操作を行うだけで皿装置を備えた前面パネルを開放できるとともに連通部を閉じるようにシャッタを作動させることができるとともに、作動部材により連通部を閉じるようにシャッタを確実に作動させることが可能となり、シャッタ係合部材により連通部を閉じた状態にシャッタを確実に維持できるようになる。
また、前面パネルの裏側に解除部材を設け、前面パネルを開放状態から閉じたときに解除部材がシャッタ係合部材のシャッタとの係合状態を解除するので、前面パネルを閉じるだけで連通部を開くようにシャッタを確実に作動させることができるようになる。
【０００６】
【発明の実施の形態】
図を参照し、本発明の実施形態による遊技機１を説明する。図１は遊技機１の全体斜視図、図２は遊技機１の前面パネル４を取外した状態を示す斜視図、図３は内枠６の斜視図、図４は鍵機構２０を示す斜視図、図５はシャッタ作動機構３０の拡大斜視図、図６はシャッタ作動機構３０の動作説明図である。
【０００７】
遊技機１は、皿装置２及び前面飾り３を備えた前面パネル４と、回胴表示装置５及び遊技部品収納部１００に図外の制御装置その他の遊技部品が取り付けられた内枠６（遊技機本体）と、外枠７とで構成される。この遊技機１は、球を投入することにより回胴表示装置５の図柄を変動させる遊技を行う遊技機であり、俗称「パチスロ」等と呼称されている。前面パネル４は上下ヒンジ８，９を介して内枠６に対して片開き可能に取り付けられている。皿装置２の前面及び上面には遊技操作ボタン等が設けられている。１０２は球貸機、１０３はスピーカ、１０４は球払出機構、２００は遊技部品収納部１００の前方に取付けられる前パネルである。
【０００８】
内枠６には蓄球タンク１０が設けられている。蓄球タンク１０の前方開口１１は連通口１２を残してカバー１３で塞がれている。皿装置２の後壁１４には蓄球タンク１０の連通口１２と連通する球取り込み口１５が設けられ、図１のように前面パネル４が閉じられた状態で球取り込み口１５と連通口１２とが連通して連通部１６が形成される。内枠６における蓄球タンク１０の連通口１２の下方には連通部１６を開閉するシャッタ１７が設けられている。内枠６に設けられる図４に示す鍵機構２０は、鍵装置２１と、前面パネル４に設けられた図外のロック片に係合するとともに鍵装置２１を図外の鍵プレートで操作することにより前面パネル４のロック片との係合が解除される上，下係合片２２，２３を備えた鍵操作係合解除部材２４と、取付ベース２５とで構成される。即ち、鍵装置２１とが鍵操作係合解除部材２４とが連結されていてこれらが取付ベース２５を介して内枠６に取付けられている。上，下係合片２２，２３は内枠６に形成された縦長孔１０５を介して前面パネル４側に突出し、鍵プレート操作により下方向に移動して前面パネルを開放可能状態にし、また、前面パネル４を閉じることにより下方向に移動した後上方向に図外のばねで復帰して上記ロック片に係合するので前面パネル４は開放不可能となる。尚、２６，２７は外枠７に設けられた図外のロック片に係合して内枠６を外枠７に対して開放不能とし、鍵プレートで上記鍵装置２１を逆方向に操作することで内枠６を外枠７に対して開放可能とする係合片である。
【０００９】
連通部１６を閉じる状態及び開く状態にシャッタ１７を作動させるシャッタ作動機構３０（シャッタ閉じ作動機構、シャッタ開き作動機構）は、図５，６に詳細に示すように、内枠６における連通口１２の下方における内枠６の部分に固定されるベース部材３１と、ベース部材３１の表面３２との間にシャッタ収納部３３を形成してベース部材３１の表面３２に取り付けられるカバー３４と、連通部１６を閉じる状態にシャッタ１７を移動させるシャッタ操作部材３５と、連通部１６を閉じたシャッタ１７に係合してシャッタ１７の位置を維持するシャッタ係合部材３６とを備える。
【００１０】
シャッタ１７は、連通口１２から球取り込み口１５への球の移動を阻止する阻止部４０を上部に備え、カバー３４に設けられた開口４１を介してカバー３４の表側に突出し上記シャッタ操作部材３５及びシャッタ係合部材３６に係合する係合部４２を中央部に備え、ベース部材３１の下部に設けられた開口４３を介してベース部材３１の表面３２の裏側に突出する被軸支部５１を下部に備える。この被軸支部５１は、孔４４，４５を介してベース部材３１の上下フランジ４６，４７に固定された軸５０に移動可能に取り付けられている。尚、ベース部材３１の上下には取付係止片３１ａ，３１ａが設けられており、これを内枠６の係止部６ａに係止することで内枠６にベース部材３１が取付けられている。
上記被軸支部５１とベース部材３１の上フランジ４６との間には被軸支部５１を下フランジ４７の方向に付勢するコイルばね５５が設けられている。５２，５３は軸受兼コイルばねの固定部である。シャッタ係合部材３６はカバー３４の表面５６に設けられ、これはフランジ５７，５７間に固定された軸５８とこの軸５８に回動可能に取り付けられたロック部材６０とこのロック部材６０とカバー３４の表面３２に設けられたばね固定部６１とロック部材６０に設けられたばね固定部６２とに取付けられたロック付勢ばね６３とで構成される。
ロック部材６０の下可動片６４には係合片６５を備え、この係合片６５がシャッタ１７の下縁６６に係止することでシャッタ１７が連通部１６を閉じた状態にロックされる。
シャッタ操作部材３５はベース部材３１に設けられた支軸７１と、この支軸７１で中央側が支持されカバー３４の表面５６と平行する面に沿って回転可能な操作レバー７２とで構成される。
操作係合解除部材２４の下係合片２３にはシャッタ操作部材３５を作動させる作動部材７５が設けられている。
皿装置２を備えた前面パネル４の裏側４ａにはロック部材６０の上可動片７３を押圧する解除部材８１が設けられている。
【００１１】
次にシャッタ作動機構３０の動作を説明する。鍵装置２１に鍵プレートを差し込んで鍵操作係合解除部材２４の上下係合片２２，２３が前面パネル４を開放可能とする状態に操作されたときに上記作動部材７５の押圧部７６が下方に移動するので操作レバー７２の一端７２ａが下方に押圧される。これにより図６（ｂ）に示すように操作レバー７２の他端７４がシャッタ１７の係合部４２とカバー３４との間に入り込んだ状態でコイルばね５５に抗してシャッタ１７を押し上げるのでシャッタ１７が連通部１６を閉じる。このとき、ロック部材６０の下可動片６４の係合片６５がシャッタ１７の下縁６６に係止するので、シャッタ１７は連通部１６を閉じる状態にロックされて蓄球タンク１０の連通口１２から皿装置２の球取込み口１５への球Ｐの移動及び連通口１２からの球Ｐのこぼれ落ちが防止されるとともにロック部材６０の上可動片７３がロック付勢ばね６３で付勢されて前方に移動し解除部材８１を押圧するので前面パネル４が前方に移動する。また、前面パネル４を開放状態から閉じたとき図６（ａ）に示すように解除部材８１でロック部材６０の上可動片７３が押圧されるのでロック部材６０の下可動片６４の係合片６５とシャッタ１７の下縁６６との係止が解除され、これによりシャッタ１７はコイルばね５５で付勢されて下方に移動し、連通部１６を開くので、連通口１２及び球取込み口１５を介して皿装置２の球受皿２Ａ内に球Ｐが移動可能となる。
尚、前面パネル４が閉じられてシャッタ１７が連通部１６を開けている状態においても操作レバー７２の一端７２ａの上方への移動は上記作動部材７５の押圧部７６により規制されており、この状態においても操作レバー７２の他端７４はシャッタ１７の係合部４２とカバー３４との間に入り込んだ状態となっている。
【００１２】
以上により、鍵操作を行うだけで皿装置２を備えた前面パネル４を開放できるとともに連通部１６を閉じるようにシャッタ１７を作動させることができる遊技機１が得られる。また、前面パネル４を閉じるだけで連通部１６を開くようにシャッタ１７を作動させることができ、遊技機１を稼動できる状態にできる。
【００１３】
尚、前面パネル４を皿装置２の部分とその上側の部分とに分離してもよい。また、本発明はパチンコ機にも適用できる。
【図面の簡単な説明】
【図１】本発明の実施形態による遊技機の全体斜視図。
【図２】実施形態の遊技機の前面パネルを取外した状態を示す斜視図。
【図３】実施形態の遊技機の内枠の斜視図。
【図４】実施形態の遊技機の内枠の斜視図。
【図５】実施形態の遊技機のシャッタ作動機構の拡大斜視図。
【図６】実施形態の遊技機のシャッタ作動機構の動作説明図。
【符号の説明】
１  遊技機、２  皿装置、４  前面パネル、４ａ  前面パネルの裏側、
６  内枠（遊技機本体）、１０  蓄球タンク、１６  連通部、１７  シャッタ、２０  鍵機構、２１  鍵装置、２４  鍵操作係合解除部材、
３０  シャッタ作動機構、３５  シャッタ操作部材、３６  シャッタ係合部材、７５  作動部材、８１  解除部材。
【図１】
2004208761.tif 000003
【図２】
2004208761.tif 000004
【図３】
2004208761.tif 000005
【図４】
2004208761.tif 000006
【図５】
2004208761.tif 000007
【図６】
2004208761.tif 000008